(57)【要約】【課題】通常の書道の作品製作時と同様の環境下で用紙に参考画像を表示させ得る表示装置を提供する。【解決手段】外部装置４から取り込まれた画像データＤｐを表示用画像データＤｄに生成し、光源からの光を前記表示用画像データＤｄに基づいて表示用画像に変調して投射するプロジェクタ１５を備え、前記プロジェクタ１５は、画像が描かれる用紙３の面の斜め上方に設置され、前記プロジェクタ１５から前記用紙の設置位置に投射される前記表示用画像は、これから前記用紙３に描かれる複数の画像の参考画像が列方向に並んだ参考画像領域と、画像が存在しない無画像領域とを含み、前記無画像領域と前記参考画像領域とが前記用紙３の列方向に並んでいることを特徴とする表示装置とした。【選択図】    図１
2010224404.tif 000002
【特許請求の範囲】
【請求項１】
外部装置から取り込まれた画像データを表示用画像データに生成し、光源からの光を前記表示用画像データに基づいて表示用画像に変調して投射するプロジェクタを備え、前記プロジェクタは、画像が描かれる用紙の表面の斜め上方に設置され、前記プロジェクタから前記用紙の設置位置に投射される前記表示用画像は、これから前記用紙に描かれる複数の画像の参考画像が列方向に並んだ参考画像領域と、画像が存在しない無画像領域とを含み、前記無画像領域と前記参考画像領域とが前記用紙の列方向に並んでいることを特徴とする表示装置。
【請求項２】
前記外部装置から取り込まれた前記画像データを取得する画像データ取得部と、前記画像データ取得部で取得した画像データを列毎の領域に分割する画像データ分割部と、前記画像データ分割部で列毎の領域に分割された分割画像データと画像が存在しない無画像領域画像データとを記憶する記憶部と、前記記憶部に記憶された前記分割画像データと前記無画像領域データとを用いて前記参考画像領域を含む前記表示用画像データを生成する表示用画像データ生成部とを含むことを特徴とする請求項２記載の表示装置。
【請求項３】
外部装置から取り込まれた画像データを表示用画像データに生成し、光源からの光を前記表示用画像データに基づいて表示用画像に変調して投射するプロジェクタを備え、前記プロジェクタは、画像が描かれる用紙の表面の斜め上方に設置され、前記プロジェクタから前記用紙の設置位置に投射される前記表示用画像は、これから前記用紙に描かれる複数の画像の参考画像が列方向に並んだ参考画像領域と、これから前記用紙に描かれる画像の位置の目安を表す目安画像が列方向に並んだ目安画像領域とを含み、前記目安画像領域と前記参考画像領域とが前記用紙の列方向に並んでいることを特徴とする表示装置。
【請求項４】
前記外部装置から取り込まれた前記画像データを取得する画像データ取得部と、前記画像データ取得部で取得したデータを列毎の領域に分割する画像データ分割部と、前記画像データ分割部で列毎の領域に分割された分割画像データと画像が存在しない無画像領域画像データと前記目安画像データとを記憶する記憶部と、前記記憶部に記憶された前記分割画像データと前記無画像領域データと前記目安画像データとを用いて前記参考画像領域と目安画像領域とを含む前記表示用画像データを生成する表示用画像データ生成部とを含むことを特徴とする請求項３記載の表示装置。
【請求項５】
前記目安画像がこれから前記用紙に描かれる画像の中心の位置の目安を表す画像であることを特徴とする請求項３又は４記載の表示装置。
【発明の詳細な説明】
【技術分野】
【０００１】
本発明は書道用の文字の練習や、書道作品を作成するための手本画像を表示する表示装置に関する。
【背景技術】
【０００２】
この種の表示装置としては、液晶パネルの上に載置した書道用の用紙である半紙を透過させて手本（手本画像）を表示する卓上平置型液晶表示装置（以下表示装置という）が特許文献１に開示されている。この表示装置を用いて、手本を表示させるには、まず、液晶パネルの上に下敷きを載置する。この下敷きは液晶パネルからの光を透過可能で、且つ、吸水性を有する和紙などの材料で構成される。次いで、下敷きの上に半紙を載置して、半紙が動かないように文鎮などで固定する。次に、パソコンなどから表示装置に手本用の画像データを出力することにより、液晶パネルに手本を表示させる。これにより液晶パネルに表示された手本が下敷きと半紙を透過して半紙上から視認可能な状態となる。この視認可能な手本をなぞるようにして文字を書くことによって書道を習得したり、書道作品を作成することが可能となる。
【先行技術文献】
【特許文献】
【０００３】
【特許文献１】特開２００１−１０６２９号広報
【発明の概要】
【発明が解決しようとする課題】
【０００４】
ところが従来の表示装置には以下の問題点がある。すなわち、この表示装置では、液晶パネルに表示された手本が半紙を透過させて視認する構成を採用しており、この表示装置では、文字を書く半紙と液晶パネルとの間に光透過性を有する専用の下敷きを配設する必要がある。このため、一般的に書道を行う際に用いるフェルトやラシャ等の下敷きと、専用の下敷きの態様が大きく相違するため、筆を走らせる際に違和感を覚えるといった問題がある。また、この表示装置では、半紙に文字を書くことによって液体墨や墨をすって作成した墨汁が専用の下敷きに吸収されて専用の下敷きが汚れ、手本の表示が妨げられるため、専用の下敷きを毎回交換しなければならず、資材が無駄になるといった問題があった。更に、文字を書く用紙も透過性のあるものに制限されるので、滲みや掠れといった書道独特な表現をもたらす用紙を使えないといった問題があった。また、この表示装置では、用紙に表示させた手本をなぞるようにして文字を書くことによって書道の習得を可能にしているが、従来からの書道の学習方法である古法帖の文字を観察して独自に表現する臨書の手法による学習や創作作品を製作をする場合は、表示された手本が邪魔になるといった問題がある。また、書道用紙の中でも全紙や半切などの大きなサイズの用紙に書く場合には、大型の表示装置が必要で、更に、大きなサイズの用紙に文字を書く場合には表示装置の上に人間が乗ることも考えられるので、表示装置を強固な構造にしなければならないといった問題がある。
【０００５】
本発明は、かかる問題点に鑑みてなされたもので、書道の臨書学習時や書道展に出展するための創作作品の作成時に、書く文字列の近傍の列に参考画像を表示させ得る表示装置を提供することを主目的とする。
【課題を解決するための手段】
【０００６】
上記目的を達成すべく本発明に係る表示装置は、外部装置から取り込まれた画像データを表示用画像データに生成し、光源からの光を前記表示用画像データに基づいて表示用画像に変調して投射するプロジェクタを備え、前記プロジェクタは、画像が描かれる用紙の表面の斜め上方に設置され、前記プロジェクタから投射される前記表示用画像は、これから前記用紙に描かれる複数の画像の参考画像が列方向に並んだ参考画像領域と、画像が存在しない無画像領域とを含み、前記無画像領域と前記参考画像領域とが前記用紙の列方向に並んでいることを特徴とする。
【０００７】
ここで列方向とは、用紙の上辺から下辺に向かう方向をいう。
この表示装置によれば、プロジェクタから投射される前記表示用画像が、これから用紙に描かれる複数の画像の参考画像が列方向に並んだ参考画像領域と、画像が存在しない無画像領域とを含み、用紙の列方向に無画像領域と参考画像領域とが並んでいることにより、これから用紙に描く画像の近傍に参考画像が表示されるため、表示された参考画像を視認しながら画像を描くことで、例えば、書道の場合、文字の間違い、文字のサイズの間違いなどがなくなり、失敗によって廃却する書道用紙を削減することができる。
【０００８】
また、通常書道を行うときと同等の環境下で参考画像を表示させることができる結果、筆の走りに違和感を覚えることがない。
【０００９】
また、下敷きが墨汁で汚れたとしても参考画像の表示に何ら影響を与えないので、下敷きを毎回交換する必要がなく、資材の無駄を省くことができる。
また、表示される参考画像は画像を描く位置と異なる位置に表示されるため、表示された参考画像が画像を描く際に邪魔になることがない。
また、これから画像を描く領域が画像が存在しない無画像領域であり、プロジェクタの光源からの光で紙面が照明されるので、室内の照明を消したり、あるいは照明の照度を落として画像を描くことができ、照明のエネルギーを削減して省エネルギーを図ることができる。
また、本発明に係る表示装置によれば、上記の表示装置において、前記外部装置から取り込まれた前記画像データを取得する画像データ取得部と、前記画像データ取得部で取得した画像データを列毎の領域に分割する画像データ分割部と、前記画像データ分割部で列毎の領域に分割された分割画像データと画像が存在しない無画像領域画像データとを記憶する記憶部と、前記記憶部に記憶された前記分割画像データと前記無画像領域データとを用いて前記参考画像領域を含む前記表示用画像データを生成する表示用画像データ生成部とを含むことを特徴とする。
この表示装置によれば、書道の習得の進度に応じて各種の手本が描かれた画像データが、パソコンの内部記憶装置やパソコンの外部記憶装置などの一般的に普及している外部装置に記憶されているので、表示装置自体が大型化することなく、表示装置を移動や持ち運ぶことなどが容易にでき、更に、表示装置自体を安価に製作することができる。
また、画像取り込み手段で取り込む参考画像としては、書道教室の先生のお手本や、自分が書いたものであって書道教室の先生が添削したもの、あるいは、自分が書いたもので完成度が上がってきたものを適宜用いることができ、それらを参考画像とすることで、短期間に、書き込みの枚数が少なくても、完成度の高い書道作品を仕上げることができる。従って、作品作りに使用する書道用紙を削減することができる。
また、本発明に係る表示装置は、外部装置から取り込まれた画像データを表示用画像データに生成し、光源からの光を前記表示用画像データに基づいて表示用画像に変調して投射するプロジェクタを備え、前記プロジェクタは、画像が描かれる用紙の表面の斜め上方に設置され、前記プロジェクタから投射される前記表示用画像は、これから前記用紙に描かれる複数の画像の参考画像が列方向に並んだ参考画像領域と、これから前記用紙に描かれる画像の位置の目安を表す目安画像が列方向に並んだ目安画像領域とを含み、前記目安画像領域と前記参考画像領域とが前記用紙の列方向に並んでいることを特徴とする表示装置。
ここで、描かれる画像の位置の目安を表す目安画像とは、例えば書道の場合、文字の幅を決める枠線や文字の中心を線などで表したものである。
この表示装置によれば、これから用紙に描かれる複数の画像の参考画像が列方向に並んだ参考画像領域と、これから用紙に描かれる画像の位置の目安を表す目安画像が列方向に並んだ目安画像領域とを含み、用紙の列方向に目安画像領域と参考画像領域とが並んでいることにより、目安画像と参考画像の両方の画像を視認しながら画像を描くことで、例えば、書道の場合、文字の間違い、文字のサイズの間違い、上下の文字の中心が揃わないことや、文字と文字の列方向の間隔が揃わないことなどによる失敗がなくなり、失敗によって廃却する書道用紙を削減することができる。
また、本発明に係る表示装置によれば、上記の表示装置において、前記外部装置から取り込まれた前記画像データを取得する画像データ取得部と、前記画像データ取得部で取得したデータを列毎の領域に分割する画像データ分割部と、前記画像データ分割部で列毎の領域に分割された分割画像データと画像が存在しない無画像領域画像データと前記目安画像データとを記憶する記憶部と、前記記憶部に記憶された前記分割画像データと前記無画像領域データと前記目安画像データとを用いて前記参考画像領域と目安画像領域とを含む前記表示用画像データを生成する表示用画像データ生成部とを含むことを特徴とする。
この表示装置によれば、書道の習得の進度に応じて各種の手本が描かれた画像データが、パソコンの内部記憶装置やパソコンの外部記憶装置などの一般的に普及している外部装置によって記憶されているので、表示装置自体が大型化することなく、表示装置を移動や持ち運ぶことなどが容易にでき、更に、表示装置自体を安価に製作することができる。
また、画像取り込み手段で取り込む参考画像としては、書道教室の先生のお手本や、自分が書いたものであって書道教室の先生が添削したもの、あるいは、自分が書いたもので完成度が上がってきたものを適宜用いることができ、それらを参考画像とすることで、短期間に、書き込みの枚数が少なくても、完成度の高い書道作品を仕上げることができる。従って、作品作りに使用する書道用紙を削減することができる。
また、記憶部に、用紙の種類毎に行数（書道の場合は縦書きの方向を行という）に応じた目安画像データを記憶しておけば、用紙の種類と行数を操作部から入力することにより、所望する目安画像領域を含む表示用画像が用紙上に投射されるので、紙の上辺からの各行の文字の書き出し位置が揃わないことや、文字と文字の列方向の間隔（書道では行間という）が揃わないことなどによる失敗がなくなり、失敗によって廃却する書道用紙を削減することができる。
【発明の効果】
【００１０】
一般に書道展に出展する作品を作成するためには、条幅用の書道用紙に１００枚以上書き込むことが必要であったが、本表示装置を導入することで、書き込む列の直ぐ横の列などに、書き込む列の参考画像が表示されるため、参考画像を視認しながら書き込むことで、文字の間違い、文字のサイズの間違いなどがなくなり、失敗による書道用紙を削減することができる。更に、先生が修正した修正版のお手本を書き込む列の直ぐ横の列などに表示して、それらを視認しながら書き込むことで学習効率が向上するため、沢山の枚数の作品を書き込む必要でなくなり、作品を仕上げるのに使用する書道用紙を削減することができる。
【図面の簡単な説明】
【００１１】
【図１】第一実施形態に係る表示装置の概略構成を示すブロック図である。
【図２】表示用画像Ｇを投射している表示用装置の外観斜視図である。
【図３】台形歪補正処理の実行前の表示用画像Ｇの一例を示す平面図である。
【図４】台形歪補正処理の実行後の表示用画像Ｇの一例を示す平面図である。
【図５】第一実施形態に係る表示用画像Ｇの一例を示す平面図である。
【図６】第二実施形態に係る表示用画像Ｇの一例を示す平面図である。
【図７】（ａ）、（ｂ）、（ｃ）、（ｄ）、（ｅ）は、第二実施形態に係る目安画像の一例を示す平面図である。
【発明を実施するための形態】
【００１２】
第一実施形態
以下、添付図面を参照して本発明の第一実施形態に係る表示装置の最良の形態について説明する。最初に表示装置１の構成について図面を参照して説明する。表示装置１は、図２に示すように、例えば、床上に設置された下敷き２の上に載置された用紙３に向けて投射光Ｌを、用紙３の表面の斜め上方に設置したプロジェクタ１５（図示せず）から用紙３の設置位置に投射するように構成されている。具体的には、図１に示すように表示装置１は、画像データ取得部１１、画像データ分割部1２、記憶部１4、表示用画像データ生成部１３、プロジェクタ１５、操作部１６、主制御部１７を備えている。この場合、用紙３が載置される部位（この例では下敷き２の上）が本発明における用紙３の設置位置に相当する。また、図２に示すように表示装置１は、箱体内にプロジェクタ１５が収容されてヘッド部１０ｃが構成され、このヘッド部１０ｃが、箱体内に主制御部１７や記憶部１４などが収容された本体部１０ａに立脚された柱部１０ｂの上部に取り付けられている。また、本体部１０ａ上には操作部１６が収容された付属部１０ｄが載置されている。なお、この表示装置１を用いて書道作品を作成する際は、通常の書道の際に使用するフェルトやラシャ製の下敷き２と、全紙や半切、半紙などと呼ばれる書道用の用紙３を使用する。
【００１３】
外部装置４は、パソコンの内部記憶装置や外部記憶装置などで、画像データＤｐが記憶されている。この画像データＤｐは、中国書道史に登場する王羲之や孫過庭、懐素など、あるいは、日本書道史に登場する空海や菅原道真、良寛などの人物が残した法帖、書道の先生が書いた手本、自分が書いたもの、あるいは、自分が書いたものを書道の先生が修正したもの、などの画像を、例えば、デジタルカメラやスキャナーなどを用いて撮影してデジタルデータ化し、パソコンを用いて画像サイズのトリミング処理を行ったものである。
画像データ取得部１１は、外部装置４に記憶された画像データＤｐを、操作部１６の操作によって取得し、画像データ分割部１２に出力する。
画像データ分割部１２は、画像データ取得部１１から出力された画像データＤｐを操作部１６の操作によって、画像が列方向に分割されるように分割する。分割された列毎の画像データＤｐは、列番号と対応させて記憶部１４に出力する。画像データＤｐの列方向の分割数は、書道作品の行数に相当し、操作部１６から入力される。
【００１４】
記憶部１４は、画像データ分割部１２から出力された列毎の画像データＤｐを列番号と対応させて記憶する。また、この記憶部１４には、用紙３の種類や作品の行数に応じた各行毎の位置情報が記憶されている。また、この記憶部１４には、用紙３の種類や作品の行数に応じて、画像が存在しない無画像表示用画像データが記憶されている。具体的には、表１に示す用紙３の種類に対応して、縦と横の比が異なる無画像表示用画像データが記憶されている。書道作品には漢詩を書いたものが多いが、例えば、五言絶句は２０字、七言絶句は２８字、五言律詩は４０字、七言律詩は５６字の漢字で構成されるので、作品を構成する字数や字の大きさ、用紙３の種類に応じて作品の行数が決定される。
【００１５】
【表１】
2010224404.tif 000003
【００１６】
この無画像表示用画像データは、例えば、半切の２行書きの場合、縦と横の比が、１３６対５２．５となる。横方向の寸法には作品の行数に応じて、紙の横寸法に１行分に相当する寸法が加えられる。通常プロジェクタ１５から投射される画像が、１９２０対１０８０や１２８０対７２０で構成される画素を通過するのに対して、この無画像表示用画像データは、一部の画素をマスクするように構成することで、プロジェクタ１５から所望する縦横比率の投射光Ｌを投射することができる。
表示画像データ生成部１３は、操作部１６の表示用画像データ生成ボタンの操作によって記憶部１４から分割画像データと作品の各行毎の位置情報と無画像表示用画像データとを読み出し、表示用画像データを生成してプロジェクタ１５に出力する。例えば、作品が半切の３行書きの場合で、これから最初の行を書きたいときには、操作部１６から最初の行を表す「１」を入力すると、記憶部１４から列毎の分割画像データの内で列番号が「１」に相当する分割画像を読み出して、表示用画像データを列方向に３分割した、用紙３の右辺側から２番目の列の領域に分割画像を、記憶装置１４から読み出した無画像表示用画像データに合成して表示用画像データＤｄを生成する。
【００１７】
プロジェクタ１５は、光源と、ＤＭＤ（Ｄｉｇｉｔａｌ  Ｍｉｃｒｏ  Ｍｉｒｒｏｒ  Ｄｅｖｉｃｅ）や液晶ライトバルブなどの光変調素子と、投射レンズと、表示制御部とを備え、光源からの光を主制御部１７に従い、表示用画像生成部１３から出力された表示用画像データＤｄに基づいて、光変調素子が光変調した投射光Ｌを投射レンズから出射する。また、表示制御部（図示せず）は、操作部１６の操作により主制御部１７の制御の下に、用紙３に対するプロジェクタ１５の設置場所に応じた台形歪みなどの画像補正処理を実行する。
【００１８】
操作部１６は、各種操作ボタンを備えており、操作ボタンを操作すると、例えば、次のような操作を行う。
画像データ取得部１１に接続された外部装置４から画像データＤｐを指定して読み出す。
画像データ取得部１１から出力された画像データＤｐを、画像が列方向に分割されるように分割し、分割された列毎の分割画像データを列番号と対応させて記憶部１４に出力する。
記憶部１４から分割画像データと作品の各行毎の位置情報を読み出し、表示用画像データＤｄを生成しプロジェクタ１５に出力する。
用紙３の種類と作品の行数を入力する。
【００１９】
主制御部１７は、操作部１６のボタン操作に応じて、画像データ取得部１１、画像データ分割部１２、表示用画像生成部１３、記憶部１４、プロジェクタ１５のそれぞれの動作を制御する。
次に、表示装置１を用いて用紙３の設置位置に表示用画像Ｃを表示させる方法について図面を参照して説明する。
【００２０】
先ず、例えば画像データＤｐが記憶されている外部装置４を画像データ取得部１１に接続する。次に、図２に示すように表示装置１の手前に下敷き２を敷いて、その上に用紙３を載置し、用紙３を文鎮で押える。続いて、操作部１６の投射開始ボタンを操作すると、主制御部１７がプロジェクタ１５を制御して、光源からの光を、光変調素子を介して投射レンズから出射する。この場合、参考画像領域を含む表示用画像データが生成されていないので、縦と横の比が、１９２０対１０８０や１２８０対７２０で構成される画像が存在しない表示用画像Ｇが投射される。
【００２１】
次に、用紙３の種類と作品の行数を操作部１６から入力する。すると主制御部１７が記憶部１４に記憶されている用紙３の種類と作品の行数に対応した無画像表示用画像データを記憶部１４から読み出し、プロジェクタ１５に出力する。するとプロジェクタ１５から投射される表示用画像Ｇは、縦と横の比が、１９２０対１０８０や１２８０対７２０で構成される画像が存在しない表示用画像Ｇから、入力された用紙３の種類と作品の行数に対応した縦と横の比で構成される画像が存在しない表示用画像Ｇに切り換る。
この時、表示装置１が用紙３の上辺より奥側に設置されているため、図３に示すように用紙３に投射された表示用画像Gは、手前側が幅広で奥側が幅狭となるような台形歪が生じる。従って、操作部１６の歪調整ボタンを操作することにより、この台形歪を補正する。具体的には、プロジェクタ１５が、主制御部１７の制御下で操作部１６の歪調整ボタン操作に応じて台形歪補正処理を実行することにより、図４に示すような表示画像Gの手前側の一辺と奥側の一辺の長さが等しくなるように表示用画像Gの画像変形処理が行われる。
【００２２】
次に用紙３の設置位置に投射された表示用画像Ｇに基づき投射位置と投射倍率の調整を行う。具体的には、先ず、投射された表示用画像Ｇの右辺と用紙３の右辺が一致するように用紙３の設置位置に載置された用紙３を移動する。次に投射された表示画像Ｇの上辺が用紙３の上辺と、表示画像Ｇの下辺と用紙３の下辺とが一致するように、操作部１６の拡大率調整ボタンを操作する。この際、必要に応じて用紙３の設置位置に載置された用紙３を移動する。これらの操作により、用紙３の種類と作品の行数に対応した縦と横の比で構成される画像が存在しない表示用画像Ｇを用紙３の設置位置に投射できる。
【００２３】
次に、表示用画像Ｇの列方向に参考画像領域と無画像領域とを並べて表示する方法について説明する。図１に示すように、すべての作業は主制御部１７の制御下で行われる。
先ず、外部装置４から取り込む参考画像が含まれる画像データＤｐを操作部１６の画像データ選択ボタンを操作して選択する。次に、操作部１６の画像データ取得ボタンを操作し、外部装置４から画像データＤｐを画像データ取得部１１に取得し、画像データ分割部１２に出力する。次に、操作部１６から用紙３のサイズと作品の行数を入力した後、操作部１６の分割ボタンを操作すると、画像データ取得部１１から出力された画像データを分割する指令が行われ、画像データ分割部１２では、予め入力した用紙３のサイズと作品の行数とによって、画像データ取得部１１が取得した状態の全体画像を、列毎に分割する編集が行われ、その後、分割された列毎の分割画像データが作品の行番号に対応して記憶部１４に記憶される。
次に、操作部１６から、これから書く行番号を入力した後に表示用画像データ生成ボタンが操作されると、表示用画像データを生成する指令が行われ、表示用画像生成部１３は、入力された行番号に対応した分割画像データを記憶部１４から読み出して、予め入力してある用紙３の種類と作品の行数に対応した縦と横の比で構成される画像が存在しない無画像データと分割画像データとを合成して表示用画像データＤｄを生成し、プロジェクタ１５に出力する。このとき、記憶部１４に記憶された用紙３の種類や作品の行数に応じた各行毎の位置情報に基づいて、入力された行番号に対応した分割画像データは、入力された行番号に対応する列の領域の左隣の列の領域に合成される。この結果、これから書く行の領域が無画像領域、次に書く行の領域が参考画像領域となる。
続いて、操作部１６の投射切替ボタンが操作されると、主制御部１７が、プロジェクタ１５を操作して表示用画像データＤｄに基づく表示用画像Gを用紙３の設置位置に投射する。具体的には、プロジェクタ１５では、表示用画像データ生成部１３から出力された表示用画像データＤｄに基づいて、光変調素子を制御して光源からの光を光変調する。これにより、プロジェクタ１５の投射レンズから用紙３の設置位置に向けて投射光Lが投射されて、既に表示されている画像が存在しない表示用画像Ｇに換えて参考画像領域を含む表示用画像Gが用紙３の設置位置に投射される。
図５に参考画像領域を含む表示画像Ｇが用紙３の設置位置に投射された一例を示した。図５に示したように、無画像領域と参考画像領域とが用紙３の列方向に並んでいる。
【００２４】
次に、表示用画像Ｇを切り替える方法について説明する。
【００２５】
ある行の書き込みが終了して次の行の書き込みに移る場合、操作部１６から次に書く行番号を入力した後に表示用画像データ生成ボタンを操作する。すると、表示用画像データを生成する指令が行われ、表示用画像生成部１３は、入力された行番号に対応した分割画像データを記憶部１４から読み出して、予め入力してある用紙３の種類と作品の行数に対応した縦と横の比で構成される画像が存在しない表示用画像データＤｄと記憶部１４から読み出した分割画像データとを合成して表示用画像データＤｄを生成し、プロジェクタ１５に表示用画像データＤｄを出力される。
続いて、操作部１６の投射切替ボタンが操作されると、主制御部１７がプロジェクタ１５を操作して表示用画像データＤｄに基づく表示用画像Ｇを用紙３の設置位置に投射する。具体的には、プロジェクタ１５では、表示用画像データ生成部１３から出力された表示用画像データＤｄに基づいて、光変調素子を制御して光源からの光を光変調する。これにより、プロジェクタ１５の投射レンズから用紙３の設置位置に向けて投射光Lが投射されて、既に投射されている表示用画像Ｇに換えて新たな表示用画像Ｇが用紙３の設置位置に投射される。
この第一実施形態の表示装置によれば、プロジェクタから投射される前記表示用画像が、これから用紙に描かれる複数の画像の参考画像が列方向に並んだ参考画像領域と、画像が存在しない無画像領域とを含み、用紙の列方向に無画像領域と参考画像領域とが並んでいることにより、これから用紙に描く画像の近傍に参考画像が表示されるため、表示された参考画像を視認しながら画像を描くことで、例えば、書道の場合、文字の間違い、文字のサイズの間違いなどがなくなり、失敗によって廃却する書道用紙を削減することができる。
【００２６】
また、通常書道を行うときと同等の環境下で参考画像を表示させることができる結果、筆の走りに違和感を覚えることがない。
【００２７】
また、下敷きが墨汁で汚れたとしても参考画像の表示に何ら影響を与えないので、下敷きを毎回交換する必要がなく、資材の無駄を省くことができる。
また、表示される参考画像は画像を描く位置と異なる位置に表示されるため、表示された参考画像が画像を描く際に邪魔になることがない。
また、これから画像を描く領域が画像が存在しない無画像領域であり、プロジェクタの光源からの光で紙面が照明されるので、室内の照明を消したり、あるいは照明の照度を落として画像を描くことができ、照明のエネルギーを削減して省エネルギーを図ることができる。
また、書道の習得の進度に応じて各種の手本が描かれた画像データが、パソコンの内部記憶装置やパソコンの外部記憶装置などの一般的に普及している外部装置によって記憶されているので、表示装置自体が大型化することなく、表示装置を移動や持ち運ぶことなどが容易にでき、更に、表示装置自体を安価に製作することができる。
また、画像取り込み手段で取り込む参考画像としては、書道教室の先生のお手本や、自分が書いたものであって書道教室の先生が添削したもの、あるいは、自分が書いたもので完成度が上がってきたものを適宜用いることができ、それらを参考画像とすることで、短期間に、書き込みの枚数が少なくても、完成度の高い書道作品を仕上げることができる。従って、作品作りに使用する書道用紙を削減することができる。
なお、本実施形態の表示装置１では、これから書く行の分割画像と、画像が存在しない無画像データとを合成して表示用画像データＤｄを生成し、プロジェクタ１５に出力する構成としたが、これに代えて、これから書く行の分割画像と、その次に書く行の分割画像と、画像が存在しない無画像データとを合成して表示用画像データＤｄを生成し、プロジェクタ１５に出力する構成としても良い。
また、本実施形態の表示装置１では、投射された表示用画像Ｇの右辺と用紙３の右辺が一致するように用紙３の設置位置に載置された用紙３を移動する調整について説明したが、例えば、これから一行目を書く場合は、表示用画像Ｇの左辺と用紙３の左辺を一致させるように調整した後、一行目の参考画像の領域を用紙３の右辺より外側に、参考画像領域の左側を画像の存在しない無画像領域としてもよい。
第二実施形態
【００２８】
次に、本発明の表示装置における第二実施形態について図面を参照して説明する。図６は本実施形態に係る表示装置の概略構成を示す図である。本実施形態に係る表示装置は、上記第一実施形態と異なり、表示用画像が無画像領域と参考画像領域に加え目安画像領域とで構成されている。それ以外の構成は上記第一実施形態に係る構成と同様であるため、これら同一部材には同じ符号を付し、説明については省略若しくは簡略化する。
図１において記憶部１４は、画像データ分割部１２から出力された列毎の分割画像データと、用紙３の種類や作品の行数に応じた各行毎の位置情報に加え、図７に示すような画像の位置の目安となる目安画像が記憶されている。図７（ａ）は、文字の左右の中心位置を実線の直線で表したものである。また、図７（ｂ）は、文字の左右の中心位置を点線の直線で表したものである。また、図７（ｃ）は、文字の中心位置を十字で表し、列方向に並べたものである。また、図７（ｄ）は文字の左右の最外輪郭位置を実線の直線で表したものである。また、図７（ｅ）は文字の左右の最外輪郭位置に加え文字の左右の中心位置を実線の直線で表したものである。また、図７（ｆ）は、文字の左右の最外輪郭位置に加え、最外輪郭位置の幅を三等分にした位置を実線の直線で表したものである。なお、これらの実施態様に限定されることはなく、実線や点線を破線や跳び破線に置き換えても良い。これらの目安画像は書道の上達具合や文字の書体によって使い分けることができる。
次に、表示用画像データ生成部１３では、操作部１６の表示用画像データ生成ボタンの操作によって記憶部１４から、分割画像データ、作品の各行毎の位置情報、無画像表示用画像データに加え、指定された目安画像を読み出し、表示用画像データを生成してプロジェクタ１５に出力する。例えば、作品が半切の３行書きの場合で、これから最初の行を図７（ａ）の目安画像を画像の位置の目安にして書きたいときには、操作部１６から最初の行を表す「１」と目安画像の種類を現す「ａ」を入力すると、記憶部１４から列毎の分割画像データの内で列番号が「１」に相当する分割画像と、目安画像が「ａ」に相当する目安画像とを読み出して、更に記憶部１４に記憶された用紙３の種類や作品の行数に応じた各行毎の位置情報に基づいて、用紙３の右辺から１番目の列の領域に目安画像を、用紙３の右辺から２番目の列の領域に分割画像を、記憶装置１４から読み出した画像が存在しない表示用画像データに合成して表示用画像データを生成する。
次に、表示用画像Ｇの列方向に参考画像領域と無画像領域とを並べて表示する方法について説明する。図１に示すように、すべての作業は主制御部１７の制御下で行われる。
外部装置４から取り込まれた画像データＤｐを画像の列方向に分割し、分割された列毎の分割画像データを作品の行番号に対応して記憶部１４に記憶する操作は第一実施形態と同様である。
記憶部１４に分割画像を記憶した後、操作部１６から、これから書く行番号と目安とする目安画像の種類を現す記号を入力する。その後、表示用画像データ生成ボタンが操作されると、表示用画像データを生成する指令が行われ、表示用画像生成部１３は、入力された行番号に対応した分割画像データと、入力された目安画像の種類に対応した目安画像データとを記憶部１４から読み出して、予め入力してある用紙３の種類と作品の行数に対応した縦と横の比で構成される画像が存在しない表示用画像データに、これから書く行番号の列の位置に目安画像データと、これから書く行番号の列の右隣の列に分割画像データとを合成して表示用画像データＧを生成し、プロジェクタ１５に出力する。
図６に目安画像領域と参考画像領域を含む表示画像Ｇが用紙３の設置位置に投射された一例を示した。図６に示したように、目安画像領域と参考画像領域とが用紙３の列方向に並んでいる。
【００２９】
この第二実施形態の表示装置によれば、これから用紙に描かれる複数の画像の参考画像が列方向に並んだ参考画像領域と、これから用紙に描かれる画像の目安を表す目安画像が列方向に並んだ目安画像領域とを含み、用紙の列方向に目安画像領域と参考画像領域とが並んでいることにより、目安画像と参考画像の両方の画像を視認しながら画像を描くことで、例えば、書道の場合、文字の間違い、文字のサイズの間違い、上下の文字の中心が揃わないことや、文字と文字の列方向の間隔が揃わないことなどによる失敗がなくなり、失敗によって廃却する書道用紙を削減することができる。
【００３０】
また、書道の習得の進度に応じて各種の手本が描かれた画像データが、パソコンの内部記憶装置やパソコンの外部記憶装置などの一般的に普及している外部装置によって記憶されているので、表示装置自体が大型化することなく、表示装置を移動や持ち運ぶことなどが容易にでき、更に、表示装置自体を安価に製作することができる。
また、画像取り込み手段で取り込む参考画像としては、書道教室の先生のお手本や、自分が書いたものであって書道教室の先生が添削したもの、あるいは、自分が書いたもので完成度が上がってきたものを適宜用いることができ、それらを参考画像とすることで、短期間に、書き込みの枚数が少なくても、完成度の高い書道作品を仕上げることができる。従って、作品作りに使用する書道用紙を削減することができる。
また、記憶部に、用紙の種類毎に行数（書道の場合は縦書きの方向を行という）に応じた目安画像データを記憶しておけば、用紙の種類と行数を操作部から入力することにより、所望する目安画像領域を含む表示用画像が用紙上に投射されるので、紙の上辺から各行の文字の書き出しが揃わないことや、文字と文字の列方向の間隔（書道では行間という）が揃わないことなどによる失敗がなくなり、失敗によって廃却する書道用紙を削減することができる。
【００３１】
なお、本発明における書道には、楷書、行書、草書、隷書などの書体の漢字を主体にした毛筆書道の他、かな文字を主体とした毛筆書道が含まれる。また、筆や筆ペンなどを用いた毛筆書道の他、ボールペン、万年筆、油性ペン、水性ペンなどを用いた硬筆書道も含まれる。
【符号の説明】
【００３２】
１  表示装置、２  下敷き、３  用紙、４  外部装置  １１  画像データ取得部、１２  画像データ分割部、１３  表示用画像データ生成部、１４  記憶部、１５  プロジェクタ、１６  操作部、１７  主制御部、Ｄｄ  表示用画像データ、Ｄｐ  画像データ、Ｇ  表示用画像、Ｌ  投射光
【図１】
2010224404.tif 000004
【図２】
2010224404.tif 000005
【図３】
2010224404.tif 000006
【図４】
2010224404.tif 000007
【図５】
2010224404.tif 000008
【図６】
2010224404.tif 000009
【図７】
2010224404.tif 000010